(57)【特許請求の範囲】
【請求項１】
パネルに開口して形成された取付孔に挿入され、前記パネルに取り付けられるホルダと、
前記ホルダに保持されるとともに、前記パネルに密着されるグロメットとを備え、
前記ホルダは、前記取付孔への挿入方向に延びる第１の壁と、この第１の壁に略直角に連なり、且つ外側に張り出して前記グロメットが被せ付けられる第２の壁とを有し、
前記第１の壁は、前記取付孔への挿入方向に沿った係止面を有し、
前記グロメットには、前記第１の壁側に突出し、前記係止面の内側に位置してこの係止面と前記挿入方向に沿って密着可能な係止受け面を有する突部が形成され、
前記第１の壁が互いに略平行に延びる一対のストレート部をもった長環状をなし、
前記係止面が、前記両ストレート部の延出方向に延びる形態であって、前記両ストレート部のみに形成されていることを特徴とするグロメットの取付構造。
【請求項２】
前記係止受け面は、前記係止面と前記突部の突出方向の全長に亘って密着可能とされている請求項１記載のグロメットの取付構造。
【請求項３】
前記第１の壁には、前記係止面を有して前記突部を受容可能な挿入孔が前記挿入方向に延出して形成されている請求項１又は２記載のグロメットの取付構造。
【請求項４】
前記係止面が前記第１の壁の壁面で構成されている請求項１又は２記載のグロメットの取付構造。
【発明の詳細な説明】
【技術分野】
【０００１】
本発明は、グロメットの取付構造に関する。
【背景技術】
【０００２】
グロメットの取付構造として、特許文献１に記載のものが知られている。これは、パネルに開口して形成された取付孔に挿入されて取り付けられるホルダと、ホルダに保持されるとともに、パネルに密着されるグロメットとを備えている。ホルダは電線を挿通可能な円板状のホルダ本体を有し、ホルダ本体には係止孔が板厚方向に貫通して形成されている。グロメットには、ホルダ本体の外周縁部に被せ付けられる断面Ｕ字形の溝部が形成されているとともに、溝部より内側で且つホルダ本体の裏面に対向する位置からホルダ本体側に突出する係止片が形成されている。係止片は、円柱状の支柱と、支柱の先端から周方向に張り出す頭部とから構成されている。
【０００３】
グロメットのホルダへの組み付け過程では、係止片の頭部が係止孔の孔面との当接によって弾性的に縮径変形させられる。その後、グロメットが正規に組み付けられると、係止片の頭部が復元して係止孔の表面側の開口縁に弾性的に掛止させられ、グロメットがホルダに抜け止め状態で保持される。頭部が係止孔を通過する際の挿入抵抗が小さくなるよう、係止孔は係止片の支柱の外径より大径とされている。
【特許文献１】実開昭６３−６３９１４号公報
【発明の開示】
【発明が解決しようとする課題】
【０００４】
上記のように、係止片の支柱と係止孔の内面との間には隙間が形成されるため、シール性が低下する懸念がある。これに対し、例えば、係止片が支柱のみからなる構成であれば、係止片を係止孔の内面に密着させることでシール性を確保することも可能となる。しかし、係止片と係止孔との間のシール領域はせいぜいホルダの板厚範囲に限られているため、充分なシール性を得ることができないおそれもある。
【０００５】
本発明は上記のような事情に基づいて完成されたものであって、充分なシール性を確保したグロメットの取付構造を提供することを目的とする。
【課題を解決するための手段】
【０００６】
上記の目的を達成するための手段として、請求項１の発明は、パネルに開口して形成された取付孔に挿入され、前記パネルに取り付けられるホルダと、前記ホルダに保持されるとともに、前記パネルに密着されるグロメットとを備え、前記ホルダは、前記取付孔への挿入方向に延びる第１の壁と、この第１の壁に略直角に連なり、且つ外側に張り出して前記グロメットが被せ付けられる第２の壁とを有し、前記第１の壁は、前記取付孔への挿入方向に沿った係止面を有し、前記グロメットには、前記第１の壁側に突出し、前記係止面の内側に位置してこの係止面と前記挿入方向に沿って密着可能な係止受け面を有する突部が形成され、前記第１の壁が互いに略平行に延びる一対のストレート部をもった長環状をなし、前記係止面が、前記両ストレート部の延出方向に延びる形態であって、前記両ストレート部のみに形成されているところに特徴を有する。
【０００７】
請求項２の発明は、請求項１に記載のものにおいて、前記係止受け面は、前記係止面と前記突部の突出方向の全長に亘って密着可能とされているところに特徴を有する。
【０００９】
請求項３の発明は、請求項１又は２に記載のものにおいて、前記第１の壁には、前記係止面を有して前記突部を受容可能な挿入孔が前記挿入方向に延出して形成されているところに特徴を有する。
【００１０】
請求項４の発明は、請求項１又は２に記載のものにおいて、前記係止面が前記第１の壁の壁面で構成されているところに特徴を有する。
【発明の効果】
【００１１】
＜請求項１の発明＞
ホルダにグロメットを組み付けると、取付孔への挿入方向に延びる第１の壁の係止面に対して突部の係止受け面が同挿入方向に沿って密着可能とされるから、係止面と係止受け面との間で沿面距離を長くとれるとともに、両面の係止代を大きくとれ、シール性が良好となる。また、グロメットに対して第２の壁からの離脱方向にめくれ力が作用したときに、突部の係止受け面が第１の壁の係止面に係止されることでめくれ力に抗し、グロメットが不用意にめくれてしまうのを回避することができる。また、ストレート部においてグロメットがめくれ易いという事情があるものの、係止面がストレート部に沿って延出する形態であることにより、係止面と係止受け面との係止代を大きく確保でき、グロメットがめくれてしまうのを高い確実性をもって回避することができる。
【００１２】
＜請求項２の発明＞
係止受け面が係止面と突部の突出方向の全長に亘って密着可能とされているから、沿面距離をより長くとれるとともに、係止代をより大きくとれ、シール性がいっそう良好となる。また、グロメットのめくれ防止の信頼性も高い。
【００１４】
＜請求項３の発明＞
第１の壁に形成された挿入孔に突部が挿入されるため、突部の周面（係止受け面）全体を係止孔の内面（係止面）に密着させることが可能となり、シール性がよりいっそう良好となる。
【００１５】
＜請求項４の発明＞
係止面が第１の壁の壁面で構成され、第１の壁に特別な加工を施す必要がないことから、生産性に優れる。
【発明を実施するための最良の形態】
【００１６】
＜実施形態１＞
以下、本発明の実施形態１を図１ないし図８によって説明する。本実施形態は、パネル９０に取り付けられるホルダ１０と、ホルダ１０に保持されるとともに、パネル９０に密着されるグロメット４０とを備える。パネル９０は高さ方向に沿った板状をなしている。パネル９０には、縦長（高さ方向に長い）円形の取付孔９１が板厚方向に貫通して形成されている。ホルダ１０は取付孔９１に挿入された状態でパネル９０に取り付けられる。なお、以下の説明において前後方向については、取付孔９１へのホルダ１０の挿入方向を前方とし、取付孔９１からのホルダ１０の抜出方向を後方とする。
【００１７】
ホルダ１０は合成樹脂製であって、図５に示すように、パネル９０の取付孔９１に挿入可能な本体部１１を備えている。本体部１１の高さ方向両端部は外向きに円弧状に膨出する上下一対のアーク部１２とされ、本体部１１の幅方向両端部は高さ方向に略平行に真直ぐ延びる左右一対のストレート部１３とされ、これらアーク部１２及びストレート部１３が円環状に連続する形態とされている。また、図３に示すように、本体部１１は第１及び第２の壁１４、１５を有している。第１の壁１４は、前後方向に延びる壁面をもって縦長円環状をなし、その中央に、電線群９９が挿通される貫通孔１６が開口して形成されている。第２の壁１５は、第１の壁１４の後端に略直角に連なって第１の壁１４との間で断面略Ｌ字形をなし、径方向外側へ全周に亘って張り出す縦長円板状のフランジとして構成されている。
【００１８】
図５に示すように、第２の壁１５の外縁にはグロメット４０を保持する複数のグロメットロック部１７が突出して形成されている。各グロメットロック部１７は、第２の壁１５の外縁において、上側のアーク部１２の両ストレート部１３寄りの位置に１つずつ、下側のアーク部１２の幅方向略中央部に１つ、計３つ設置されている。また、グロメットロック部１７の先端には大径部１８が全周に亘って張り出して形成され、この大径部１８にグロメット４０が引っ掛け係止されるようになっている。
【００１９】
第１の壁１４には側板１９及び天板２０が前方に突出して形成されている。側板１９及び天板２０は第１の壁１４より薄い板厚をもって構成されている。側板１９の内面（貫通孔１６側を向く面）には、コネクタハウジング８０を装着するためのハウジングロック部２２が形成されている。コネクタハウジング８０は合成樹脂製であって、パネル９０に取り付けられた状態で、図示しない相手側のコネクタハウジングと嵌合し、両コネクタハウジング内に装着された端子金具同士が導通接続されるようになっている。天板２０は、コネクタハウジング８０が結露するのを防止する庇としての役割をもっている。
【００２０】
第１の壁１４の外面には、周囲から一段落ちた凹所２３の底面に、複数のパネルロック部２４が周方向に間隔をあけて形成されている。具体的にはパネルロック部２４は、後方へ向けて片持ち状に延出する形態とされ、第１の壁１４の外面において、上側のアーク部１２の幅方向略中央に１つ、両ストレート部１３の上端寄りの位置に１つずつ、下側のアーク部１２の両ストレート部１３寄りの位置に１つずつ、計５つ設置されている。ホルダ１０のパネル９０への取付過程では、パネルロック部２４が取付孔９１の内面と当接して高さ方向に弾性撓みさせられる。そして、ホルダ１０のパネル９０への正規取付時に、パネルロック部２４が復元してその後端縁が取付孔９１の表面側（前面側）の開口縁に弾性的に係止させられ、もってホルダ１０がパネル９０に抜け止め状態で保持されるようになっている（図４を参照）。第２の壁１５には、各パネルロック部２４と対応する位置に、略方形の逃がし孔２５が板厚方向（前後方向）に貫通して形成されている。
【００２１】
第１の壁１４には、両ストレート部１３のパネルロック部２４より下方に、左右一対の挿入孔２６が形成されている。挿入孔２６は、ストレート部１３に沿って高さ方向に延出することで、ストレート部１３の後面に縦長スリット状に開口し、且つ第１の壁１４の延出方向である前後方向（深さ方向）にも延出する形態とされている。挿入孔２６の深さは、第２の壁１５の板厚よりも大きく設定されている。なお、挿入孔２６の内面全体が本発明の係止面を構成している。
【００２２】
グロメット４０はゴム製であって、図８に示すように、後方からホルダ１０に被せ付けられる被着部４１と、被着部４１から後方へ延出される電線収容部４２とから構成されている。電線収容部４２は、端子金具に接続されてコネクタハウジング８０の後方へ引き出された電線群９９を収容可能で且つ伸縮可能とされたコルゲート管であり、その延出途中に、図示しない別のパネルに取り付けられる厚肉の中継部４３を有している。
【００２３】
被着部４１は、前方へ向けて縦長円形に開口する形態であり、図３に示すように、その開口縁に、前方へ向けてラッパ状に拡開してパネル９０の裏面に密着可能なパネル密着部４４を有し、パネル密着部４４の後端と連なる位置に、第２の壁１５に覆い被さって第２の壁１５の表裏両面に密着可能な断面略Ｕ字形の溝部４５を有し、さらに溝部４５から連続して高さ方向に切り立つよう配置されるとともに略中央部に電線収容部４２の前端開口をもった覆い部４６を有している。パネル密着部４４は、径方向に並ぶ２条の薄肉片４７によって構成され、溝部４５の前面に一体に連成されている。溝部４５には、図７に示すように、グロメットロック部１７が嵌ってグロメット４０をホルダ１０に取り付けるための装着孔４８が開口して形成されている。
【００２４】
本体部１１と同様、図８に示すように、溝部４５の高さ方向両端部は外向きに円弧状に膨出する上下一対のアーク部５０とされ、溝部４５の幅方向両端部は高さ方向に略平行に真直ぐ延びる左右一対のストレート部５１とされており、これらアーク部５０及びストレート部５１が円環状に連続する形態となっている。
【００２５】
そして、覆い部４６の前面には、高さ方向に真直ぐ延び、且つ第１の壁１４に向けて前方へ真直ぐ突出する縦長平板状（縦長リブ状）の突部５３が左右で対をなして形成されている。突部５３は、溝部４５の両ストレート部５１と略平行に並び配され、その全体が第１の壁１４の挿入孔２６に緊密に嵌入可能とされている。なお、突部５３の外面全体が本発明の係止受け面を構成している。
【００２６】
次に、本実施形態の作用効果を説明する。  
コネクタハウジング８０に電線の端末に接続された端子金具を装着し、ホルダ１０の側板１９に前記コネクタハウジング８０を縦向きの姿勢で装着する。続いて、ホルダ１０の第２の壁１５に後方からグロメット４０の溝部４５を被せ付け、溝部４５で第２の壁１５を板厚方向に挟み込む。この場合に、突部５３と挿入孔２６とはホルダ１０の取付孔９１への挿入方向（グロメット４０のホルダ１０への組み付け方向と同じ）で互いに対向する位置関係にあるため、ホルダ１０に対して後方からグロメット４０を組み付けるに伴い、突部５３が挿入孔２６にそのまま挿入される。組み付けの完了により、突部５３の略全体が挿入孔２６に緊密に嵌り込み、且つ装着孔４８にグロメットロック部１７が引っ掛け係止されて、グロメット４０がホルダ１０に抜け止め状態で保持される（図１、図２、図６及び図７を参照）。
【００２７】
次いで、パネル９０に対して後方からグロメット４０付きのホルダ１０を挿入して、取付孔９１の開口縁にパネルロック部２４を弾性的に係止させ、グロメット４０付きのホルダ１０をパネル９０に取り付ける。これにより、コネクタハウジング８０がパネル９０の表面側に臨み、且つパネル密着部４４及び溝部４５が第２の壁１５とパネル９０の裏面との間に弾縮状態で挟持させられて、ホルダ１０とパネル９０との間が液密状にシールされる（図４を参照）。なお、ホルダ１０にコネクタハウジング８０を装着するタイミングは、ホルダ１０にグロメット４０を組み付けた後、パネル９０にホルダ１０を取り付ける前であってもよく、あるいはパネル９０にホルダ１０を取り付けた後であってもよい。
【００２８】
ところで、本体部１１及び溝部４５は互いに略平行に延びるストレート部１３、５１をもった長環状をなし、ストレート部１３、５１で溝部４５がめくれ易いという事情がある。しかし、本実施形態によれば、溝部４５に対して第２の壁１５の外縁外方へのめくれ力が作用したときに、突部５３の係止受け面と挿入孔２６の係止面がめくれ方向に抗して当接し合っていることにより、溝部４５が不用意にめくれてしまうのを回避することができる。
【００２９】
また、ホルダ１０にグロメット４０を組み付けた状態では、取付孔９１への挿入方向に延びる第１の壁１４の係止面に対して突部５３の係止受け面が同挿入方向に沿って密着可能とされるから、係止面と係止受け面との間で沿面距離を長くとれるとともに、両面の係止代を大きくとれ、シール性が良好となる。
【００３０】
また、係止受け面が係止面と突部５３の突出方向の全長に亘って密着可能とされているから、沿面距離をより長くとれるとともに、係止代をより大きくとれ、シール性がいっそう良好となる。また、グロメット４０のめくれ防止の信頼性も高い。
【００３１】
さらに、ストレート部１３、５１においてグロメット４０がめくれ易いという事情があるものの、係止面がストレート部１３、５１の近傍で同ストレート部１３、５１に沿って延出する形態であることにより、係止面と係止受け面との係止代を大きく確保でき、グロメット４０がめくれてしまうのを高い確実性をもって回避することができる。
【００３２】
さらにまた、第１の壁１４に形成された挿入孔２６に突部５３が挿入されるため、突部５３の周面（係止受け面）全体を係止孔の内面（係止面）に密着させることが可能となり、シール性がよりいっそう良好となる。
【００３３】
＜実施形態２＞
次に、本発明の実施形態２を図９ないし図１１によって説明する。実施形態２では、第１の壁１４の係止面の形態及び突部５３Ａの配置が実施形態１とは異なる。その他は実施形態１と同様であるため、同一の構造部位には同一符号を付し、重複する説明は省略する。  
第１の壁１４には挿入孔２６が形成されておらず、係止面は第１の壁１４の内面（貫通孔１６側を向く面）後端において高さ方向に延びる縦長の平面として構成されている。この係止面は、第１の壁１４の他の内面と面一で連続するものであり、格別の加工を施して形成されてはいない。
【００３４】
突部５３Ａは、実施形態１の突部５３と同様の形状であるが、実施形態１の突部５３より少し幅方向中央寄りの位置に配置されている。つまり、突部５３Ａは、縦長平板状（縦長リブ状）であって、溝部４５の両ストレート部５１から離間しつつも両ストレート部５１と略平行に並び配されている。そして、グロメット４０がホルダ１０に組み付けられた状態では、突部５３Ａの一方の側外面（係止受け面）が第１の壁１４の内面（係止面）と緊密に当接可能とされている。
【００３５】
グロメット４０のホルダ１０への組み付けに伴い、突部５３Ａの係止受け面が第１の壁１４の係止面と高さ方向に密着状態で当接する。したがって、第１の壁１４の係止面と突部５３Ａの係止受け面との間で沿面距離を長くとれるとともに、両面の係止代を大きくとれ、シール性が良好となる。また、係止受け面が係止面と突部５３Ａの突出方向の全長に亘って密着可能とされているから、沿面距離をより長くとれるとともに、係止代をより大きくとれ、シール性がいっそう良好となる。また、グロメット４０のめくれ防止の信頼性も高い。さらに、ストレート部１３、５１においてグロメット４０がめくれ易いという事情があるものの、係止面がストレート部１３、５１の近傍で同ストレート部１３、５１に沿って延出する形態であることにより、係止面と係止受け面との係止代を大きく確保でき、グロメット４０がめくれてしまうのを高い確実性をもって回避することができる。さらにまた、実施形態２では、係止面が第１の壁１４の壁面で構成され、第１の壁１４に特別な加工を施す必要がないことから、生産性に優れる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ホルダは、コネクタハウジングを装着していなくてもよい。また、ホルダは、コネクタハウジングと一体化した形態であってもよい。
（２）ホルダからグロメットロック部を、グロメットから装着孔を、それぞれ省略しても構わない。
（３）突部の突出量は任意に設定することが可能であり、場合によっては第２の壁の板厚より小さくても構わない。
【図面の簡単な説明】
【００３７】
【図１】本発明の実施形態１において、ホルダにグロメットを取り付けた状態の正面図である。
【図２】図１のＡ−Ａ断面図である。
【図３】ホルダにグロメットを取り付ける前の横断面図である。
【図４】パネルにグロメット付きのホルダを取り付けた状態の側断面図である。
【図５】ホルダの正面図である。
【図６】ホルダにグロメットを取り付けた状態の側面図である。
【図７】図６のＢ−Ｂ断面図である。
【図８】グロメットの正面図である。
【図９】実施形態２におけるグロメットの正面図である。
【図１０】ホルダにグロメットを取り付けた状態の縦断面図である。
【図１１】ホルダにグロメットを取り付けた状態の横断面図である。
【符号の説明】
【００３８】
１０…ホルダ
１４…第１の壁
１５…第２の壁
２６…挿入孔
４０…グロメット
４５…溝部
４６…覆い部
５３、５３Ａ…突部
９０…パネル
９１…取付孔
【図１】
0005056551.tif 000002
【図２】
0005056551.tif 000003
【図３】
0005056551.tif 000004
【図４】
0005056551.tif 000005
【図５】
0005056551.tif 000006
【図６】
0005056551.tif 000007
【図７】
0005056551.tif 000008
【図８】
0005056551.tif 000009
【図９】
0005056551.tif 000010
【図１０】
0005056551.tif 000011
【図１１】
0005056551.tif 000012